(57)【要約】【課題】  シリンダ錠を小型化することができる複合ディスクタンブラー錠を提供する。【解決手段】  内周面の母線に沿ってカム溝２を形成した外筒１と、この外筒１に回動可能に嵌合し、中心軸線に沿って鍵孔４を開口させた内筒３と、この内筒３の母線に沿って延在し、内筒の外周部において半径方向に移動可能に案内されると共に、上記カム溝２と係合する外側縁が外方に突出する方向に付勢されたロッキングバー６とを設け、上記内筒３の中心軸線に沿って設けられた複数のスロット８、８の夫々に、鍵孔４を包囲できる鍵挿通孔１１を開口させたディスクタンブラー９を長手方向に移動可能に収納し、一方、ディスクタンブラー９のロッキングバー６に対向する側の側端縁に解錠切欠１３を形成し、合鍵５が鍵孔に挿入されたとき、各ディスクタンブラーの解錠切欠がロッキングバー６と整合するようにする。【選択図】  図１
2008274683.tif 000002
【特許請求の範囲】
【請求項１】
内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の開口端縁に、ディスクタンブラーの付勢方向に突出する係合突起を一体に突設し、他方、ディスクタンブラー群の係合突起の夫々が鍵孔に挿通された合鍵の側端縁に形成された対応する窪みと係合したとき、各ディスクタンブラーの解錠切欠がロッキングバーの内側縁と整合するようにしたことを特徴とする複合ディスクタンブラー錠。
【請求項２】
内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の開口端縁に、ディスクタンブラーの付勢方向に突出する係合突起を一体に突設し、他方、ディスクタンブラー群の係合突起の夫々が鍵孔に挿通された合鍵の側端縁に形成された対応する窪みと係合したとき、各ディスクタンブラーの解錠切欠がロッキングバーの内側縁と整合するようにした複合ディスクタンブラー錠の合鍵であって、鍵孔に挿入されたときディスクタンブラーの係合突起の先端と整合する側端縁の部位に、有底で所定の深さの擂鉢形の窪みを形成したことを特徴とする複合ディスクタンブラー錠用の鍵。
【請求項３】
内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成し、ディスクタンブラー群の鍵挿通孔の開口端縁が、鍵孔に挿通された合鍵の側端縁に形成されたＶ字形の鍵溝と係合したとき、各ディスクタンブラーの解錠切欠がロッキングバーの内側縁と整合するようにしたことを特徴とする複合ディスクタンブラー錠。
【発明の詳細な説明】
【技術分野】
【０００１】
この発明は、所謂ディスクタンブラー錠とレバータンブラー錠を複合した新規な複合ディスクタンブラー錠に係り、特に、シリンダ錠を小型化することができる複合ディスクタンブラー錠に関する。
【背景技術】
【０００２】
本出願人は、先に、後記特許文献１を以て、ディスクタンブラー錠を改良した発明を提案した。なお、出願人は特許文献１に記載のものに限定されず、ディスクタンブラー錠に係る多数の発明を提案している。
【０００３】
また、本出願人は、後記特許文献２を以て、レバータンブラー錠を改良した発明を提案した。なお、出願人は特許文献２に記載のものに限定されず、レバータンブラー錠に係る多数の発明を提案している。
【特許文献１】特開平１１−３１５６５５号公報
【特許文献２】特開２００２−１８８３３３
【発明の開示】
【発明が解決しようとする課題】
【０００４】
上記ディスクタンブラー錠及びレバータンブラー錠は、勿論多数実用され、例えば建築用の錠前としては問題がない。
【０００５】
しかしながら、建築用の錠前ではない使用態様、例えばパチンコ等の遊戯機械の錠前は、扉に装着する建築用の錠前とは異なり外形寸法が制限され、大きなものは遊戯機械の中に入らない。
【０００６】
そこで、上記ディスクタンブラー錠及びレバータンブラー錠をそのまま利用し、寸法のみを例えば１／２にして遊戯機械の中に納めたとした場合、今度はシリンダ錠の錠止力が小さくなり、暴力的な破錠によって破壊される可能性がある、等の不都合が生じる。
【０００７】
ここで錠止力とは、施錠状態にあるシリンダ錠の内筒を無理に回したとき、その外力に対向する力やトルクを言うものとする。
【０００８】
例えば特許文献１の図１において、鍵孔３に合鍵と断面形状が同じ鋼鉄の板を差込み、その外端をペンチで掴んで時計方向或いは反時計方向に回すと、タンブラー４が薄い場合には塑性変形を起こして内筒が回動可能になる、すなわち、破錠が可能になる。
【０００９】
また、特許文献２の図１において、上記したと同様にして内筒を無理に回すと、レバータンブラー２に弾性変形が生じ、或いはバックアップピンが剪断されて内筒が回動可能になる、すなわち、破錠が可能になる。
【００１０】
そこで、この発明は、上記した不都合を解消し、外形寸法が小さくても必要な錠止力を保つ新規な複合ディスクタンブラー錠を提供することを目的としている。
【課題を解決するための手段】
【００１１】
上記の目的を達成するため、請求項１に記載の発明は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の開口端縁に、ディスクタンブラーの付勢方向に突出する係合突起を一体に突設し、他方、ディスクタンブラー群の係合突起の夫々が鍵孔に挿通された合鍵の側端縁に形成された対応する窪みと係合したとき、各ディスクタンブラーの解錠切欠がロッキングバーの内側縁と整合するようにしたことを特徴とする。
【００１２】
また、請求項２に記載の発明は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の開口端縁に、ディスクタンブラーの付勢方向に突出する係合突起を一体に突設し、他方、ディスクタンブラー群の係合突起の夫々が鍵孔に挿通された合鍵の側端縁に形成された対応する窪みと係合したとき、各ディスクタンブラーの解錠切欠がロッキングバーの内側縁と整合するようにした複合ディスクタンブラー錠の合鍵であって、鍵孔に挿入されたときディスクタンブラーの係合突起の先端と整合する側端縁の部位に、有底で所定の深さの擂鉢形の窪みを形成したことを特徴とする。
【００１３】
更にまた、請求項３に記載の発明は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成し、ディスクタンブラー群の鍵挿通孔の開口端縁が、鍵孔に挿通された合鍵の側端縁に形成されたＶ字形の鍵溝と係合したとき、各ディスクタンブラーの解錠切欠がロッキングバーの内側縁と整合するようにしたことを特徴とする。
【発明の効果】
【００１４】
上記のように構成されたこの発明による複合ディスクタンブラー錠は、請求項１に記載のものも、また、請求項３に記載のものも、タンブラーの動きはディスクタンブラー錠のそれと同じであり、また、施解錠のメカニズムはレバータンブラー錠のそれと同じである。
【００１５】
したがって、施錠状態の複合ディスクタンブラー錠の鍵孔に鋼鉄の板を差込み、内筒を無理に回そうとする力は、ロッキングバーを介してこれと直交する少なくとも１枚のディスクタンブラーの側端縁を幅方向に押圧するように作用する。
【００１６】
そして、複合ディスクタンブラー錠の錠止力はロッキングバーに印加されるディスクタンブラーからの反力であり、主にディスクタンブラーの横断面形状を円弧状に変形させる、換言すれば幅方向に座屈させようとする力に対する反力であるところ、この場合の座屈荷重はディスクタンブラーの幅の自乗に反比例するから、ディスクタンブラーが薄くなり、また、幅寸法が小さくなったとしても、錠止力は増大することはあっても減少することはない。
【００１７】
つまり、錠止力を充分に保持した小型のシリンダ錠を提供する、という本願発明の所期の効果を奏する。
【００１８】
加えて、請求項１に記載の複合ディスクタンブラー錠においては、タンブラーの係合突起と係合する擂鉢形の窪みは倣いフライス盤では形成できないので、合鍵の複製が困難であり、したがって錠前としての安全性が向上する、等種々の効果を奏する。
【発明を実施するための最良の形態】
【００１９】
ディスクタンブラー錠とレバータンブラーを複合することにより、錠止力が大きく小型のシリンダ錠を構成することができた。
【実施例１】
【００２０】
以下、図１を参照してこの発明の一実施例を説明する。
図１において符号１は外筒を示し、この外筒１の内周面における所定の角度位置（図示の実施例では時計盤面に換算して６時の角度位置）に横断面が略Ｖ字形のカム溝２が形成されている。
【００２１】
この外筒１の内筒部には、中心軸線に沿って鍵孔４を開口させた内筒３が回動可能に嵌合されていて、通常のディスクタンブラー錠の内筒と同様に、この鍵孔に合鍵５を挿入して施解錠操作を行う。
【００２２】
また、内筒２の所定の角度位置における外周部に、図面を明瞭にするため付番しない、横断面が略凸字形のロッキングバー案内溝が形成されており、このロッキングバー案内溝中に、内筒の母線に沿って延在するロッキングバー６が内筒の半径方向に移動可能に案内されている。
【００２３】
そして、ロッキングバー６の両端に弾装された圧縮コイルばねとしてのロッキングバーばね７の弾力により、ロッキングバー６は外方に、換言すれば上記カム溝２に係入する方向、すなわち、図１で下方に付勢されている。
【００２４】
これらの構成は、前記したレバータンブラー錠のそれと同様であるから、更に詳細な説明は省略する。
【００２５】
一方、内筒２の軸線に沿って複数のスロット８、８が形成されており、各スロット８にディスクタンブラー９が内筒の半径方向に移動可能に収納されている。
【００２６】
このディスクタンブラー９の移動方向は、図１に示すように、上記ロッキングバー６の移動方向に垂直な方向、すなわち図１で左右方向である。
【００２７】
なお、前記ディスクタンブラー錠におけるディスクタンブラーの長さは内筒の直径とほぼ同じに設定されており、図１におけるディスクタンブラー９の長さはそれより短いのだが、この発明による複合ディスクタンブラー錠はディスクタンブラー錠の一種であるから、図１におけるものもディスクタンブラーと称することにする。
【００２８】
また、各ディスクタンブラー９の中央部には、鍵孔４を包囲できる大きさの鍵挿通孔１１が長手方向に沿って開口している。
【００２９】
そして、各ディスクタンブラー９は、タンブラーばね１２の弾力により、図示の実施例では長手方向の左方に付勢されている。
【００３０】
他方、ロッキングバー６の内側縁に対向するディスクタンブラーの側端縁の所定の位置に、ロッキングバーの内側縁が係入できる解錠切欠１３が形成されている。
【００３１】
また、ディスクタンブラーの鍵挿通孔の開口端縁、すなわち、鍵挿通孔１１の短い方の開口端縁にディスクタンブラーの付勢方向に突出する山形の係合突起１４が一体に突設されている。
【００３２】
なお、図示の実施例における係合突起の先端が二重線になっているのは、先端部の横断面形状に丸みが付けられていることを示す。
【００３３】
また、図１において符号１６は鍵孔４と平行に延在するストッパー杆を、符号１７はディスクタンブラーに開口した長穴を示し、これらストッパー杆、長穴はディスクタンブラー９の行程を規制する。
【００３４】
ちなみに、上記ストッパー杆の一をロッキングバー６の移動方向の延長と交差するようにすれば、ディスクタンブラーの剛性が増大する。
【００３５】
上記のように構成されたこの発明の一実施例による複合ディスクタンブラー錠は、その施解錠に用いる合鍵の側端縁の所定の箇所に、例えば擂鉢形の窪み１４が形成されており、合鍵５を鍵孔４に挿入したとき、各窪み１５が対応するディスクタンブラーの係合突起１４と整合する。
【００３６】
合鍵が鍵孔４に挿入されたときには、ディスクタンブラー群の係合突起１４の夫々が対応する窪み１５と係合し、解錠切欠１３がロッキングバー６の内側縁に整合する。
【００３７】
したがって、合鍵を介して内筒３を所定の方向に回せば、カム溝２とロッキングバーの外側縁との間に生じる楔作用により、ロッキングバー６がカム溝２から押し出され、内筒中心軸線方向に移動しようとする。
【００３８】
このときにはロッキングバー６の移動を妨げるものは無いから、ロッキングバー６は内筒中心軸線方向に更に移動し、結局ロッキングバー６が外筒内周面に乗り上がり、このようにして複合ディスクタンブラー錠は解錠される。
【００３９】
鍵孔４に差込まれた鍵が異鍵であるときには、図に示すように少なくとも１枚のディスクタンブラー９の解錠切欠１３とロッキングバー６との位置がずれる。
【００４０】
この状態で内筒を回すと、ロッキングバー６はディスクタンブラー９と直交する関係位置でディスクタンブラー９の側端縁に押し付けられる。
【００４１】
そして、ロッキングバー６がディスクタンブラー９に呈する力はディスクタンブラーを座屈させる方向に働き、前記したように、座屈荷重はディスクタンブラーの幅方向の寸法の自乗に反比例するので、ディスクタンブラーの寸法が小さくなるほど座屈荷重が増大する、という自然法則を利用し、この発明による複合ディスクタンブラー錠は小型化しても錠止力を大きく保つことができる。
【００４２】
なお、ロッキングバー６或いはディスクタンブラー９の材質によっては、両者の接触箇所において何れか一方、或いは両方に傷がつく、或いは塑性変形が生じるという場合が考えられるが、このような場合には、ロッキングバー６及び／又はディスクタンブラー９の材質を硬いものに変えれば良い。
【実施例２】
【００４３】
図示の実施例では合鍵の側端縁に形成された擂鉢形の窪みとディスクタンブラーの係合突起とを係合させるようにしたが、これは従来のディスクタンブラーと同様に、ディスクタンブラーの鍵挿通孔の開口端縁に係合突起を突設せずに直線状にしておき、これに対応して、合鍵の側端縁に略Ｖ字形の鍵溝を形成しても良い。
【００４４】
この実施例２に記載された複合ディスクタンブラー錠に係る発明は、請求項２に記載されている。
【図面の簡単な説明】
【００４５】
【図１】この発明の一実施例による複合ディスクタンブラー錠の要部拡大横断面図。
【符号の説明】
【００４６】
１  外筒
２  カム溝
３  内筒
４  鍵孔
５  合鍵
６  ロッキングバー
７  ロッキングバーばね
８  スロット
９  ディスクタンブラー
１１  鍵挿通孔
１２  タンブラーばね
１３  解錠切欠
１４  係合突起
１５  窪み
１６  ストッパー杆
１７  長穴
【図１】
2008274683.tif 000003